(57)【要約】【課題】体格を小さくし、さらに部品点数の削減を図る。【解決手段】  同一方向を向き、並列に配置されている複数の電線接続部２１と、複数の電線接続部２１の一端と連結され、各電線接続部２１間を互いに導通する導電部材２２と、を有する複数の分岐端子２０と、分岐端子２０がそれぞれ収容され、前方に開口する複数の分岐端子収容部５１と、複数の分岐端子収容部５１の開口部を個別に塞ぐことによりシール可能なシール部材７０と、を備える。【選択図】図１
2019016449.tif 000002
【特許請求の範囲】
【請求項１】
同一方向を向き、並列に配置されている複数の電線接続部と、前記複数の電線接続部の一端と連結され、各電線接続部間を互いに導通する導電部材と、を有する複数の分岐端子と、
前記分岐端子がそれぞれ収容され、前方に開口する複数の分岐端子収容部と、
前記複数の分岐端子収容部の開口部を個別に塞ぐことによりシール可能なシール部材と、を備える分岐コネクタ。
【請求項２】
前記分岐端子収容部の内部に装着され、前記分岐端子に前方から当接するフロントリテーナと、
前記分岐端子収容部の前方に固定され、前記フロントリテーナの前方への移動を阻止する固定板と、を備え、
前記シール部材は、前記フロントリテーナと前記固定板との間に収容されている請求項１に記載の分岐コネクタ。
【請求項３】
前記フロントリテーナの前記シール部材に当接する面から、前方に複数の突起部が突出しており、
前記シール部材には前記複数の突起部と対応する位置に複数の挿通孔が設けられており、
前記複数の挿通孔に前記複数の突起部が挿通されている請求項２に記載の分岐コネクタ。
【発明の詳細な説明】
【技術分野】
【０００１】
本明細書によって開示される技術は、分岐コネクタに関する。
【背景技術】
【０００２】
従来の分岐コネクタの一例として、特開２０１３−４５６３１号（下記特許文献１）に記載の分岐コネクタが知られている。この分岐コネクタは、平面視でＴ字形状をなすハウジングと、ハウジングの内部に設けられた２つの分岐端子とを備えている。ハウジングには、３つのフードがそれぞれ開口して設けられている。それぞれのフードには、内部にシール部材が装着されている。
【０００３】
分岐端子は、円環状をなす端子連結部と、端子連結部よりそれぞれのフード部の内部に延びる３つの端子接続部とを備えている。２つの分岐端子は、ハウジング内部に上下方向に離れて配されており、互いに絶縁されている。
【０００４】
３つのフードには、それぞれ回路が接続される。回路は、フードと嵌合するソケットと、２本のケーブルとを備えている。３つのフードにそれぞれ回路が接続されると、２本のケーブルのうち、一方のケーブルが一方の分岐端子の端子接続部に接続され、他方のケーブルが他方の分岐端子の端子接続部に接続される。これにより、３つの回路の一方のケーブル同士が、一方の分岐端子を通して互いに電気的に接続され、３つの回路の他方のケーブル同士が、他方の分岐端子を通じて互いに電気的に接続される。
【先行技術文献】
【特許文献】
【０００５】
【特許文献１】特開２０１３−４５６３１号公報
【発明の概要】
【発明が解決しようとする課題】
【０００６】
しかしながら、従来の分岐コネクタは、Ｔ字形状をなしていることから、同極の端子接続部がそれぞれ異なる方向を向いて離れて配置されているため、分岐コネクタの体格が大きくなるという問題があった。また、３つのハウジングそれぞれにシール部材を装着する必要があり、部品点数が増加するという問題があった。
【課題を解決するための手段】
【０００７】
本明細書で開示される分岐コネクタは、同一方向を向き、並列に配置されている複数の電線接続部と、前記複数の電線接続部の一端と連結され、各電線接続部間を互いに導通する導電部材と、を有する複数の分岐端子と、前記分岐端子がそれぞれ収容され、前方に開口する複数の分岐端子収容部と、前記複数の分岐端子収容部の開口部を個別に塞ぐことによりシール可能なシール部材と、を備える。
【０００８】
このように構成することで、分岐端子の複数の電線接続部が、同一方向を向き並列に配置されているため、従来のように複数の電線接続部が異なる方向を向いている構成と比べて、分岐コネクタの体格を小さくすることができる。
また、従来の分岐コネクタの場合、分岐の数だけハウジングが設けられており、各々のハウジングごとにシール部材を設ける必要があった。しかし、上記構成では、分岐の数が増えると分岐端子の電線接続部の数が増加するものの、シール部材は分岐端子収容部にのみ設ければ良いため、シール部材の数は分岐の数に依らず一定となる。従って、従来と比べて部品点数の削減をすることができる。
また、シール部材は、分岐端子収容部の開口部を塞いでいるため、絶縁破壊により異なる分岐端子間が通電されることを防ぐことができる。
【０００９】
また、前記分岐端子収容部の内部に装着され、前記分岐端子に前方から当接するフロントリテーナと、前記分岐端子収容部の前方に固定され、前記フロントリテーナの前方への移動を阻止する固定板と、を備え、前記シール部材は、前記フロントリテーナと前記固定板との間に収容されている請求項１に記載の分岐コネクタ。こととしても良い。
【００１０】
このように構成することで、フロントリテーナにより分岐端子が前方に抜けることが防止されるとともに、フロントリテーナと固定板との間にシール部材を収容することで、シール部材を分岐端子収容部内に保持することができる。
【００１１】
また、前記フロントリテーナの前記シール部材に当接する面から、前方に複数の突起部が突出しており、前記シール部材には前記複数の突起部と対応する位置に複数の挿通孔が設けられており、前記複数の挿通孔に前記複数の突起部が挿通されていることとしても良い。
【００１２】
このように構成することで、シール部材の挿通孔に挿通された突起部が、シール部材の自由な変形を阻止し、シール部材のシール機能の低下を防ぐことができる。
【発明の効果】
【００１３】
本明細書に開示される分岐コネクタによれば、体格を小さくし、さらに部品点数の削減を図ることができる。
【図面の簡単な説明】
【００１４】
【図１】分岐コネクタの分解斜視図
【図２】分岐コネクタの斜視図
【図３】分岐コネクタの側面図
【図４】分岐コネクタの平面図
【図５】図４におけるＡ−Ａ断面図
【発明を実施するための形態】
【００１５】
＜実施形態＞
図１から図５を参照して本実施形態を説明する。
本実施形態の分岐コネクタ１０は、電源を他の機器に供給するために電源及びアース端子を分岐させるコネクタであって、図１に示すように、ハウジング５０と、２つの分岐端子２０と、２つのフロントリテーナ６０と、２つのシール部材７０と、固定板８０とを備えている。以降の説明では、図３及び図４のＸ方向を前方、Ｙ方向を右方、Ｚ方向を上方とする。
【００１６】
ハウジング５０は、図１に示すように、２つの分岐端子収容部５１と、３つのゴム栓収容部５２とを備えている。分岐端子収容部５１は、正面視上、左右方向に長い長穴形状をなし、前後方向に開口している。２つの分岐端子収容部５１は、上下に並べて配されている。ゴム栓収容部５２は、上下方向に長い長穴形状をなし、前後方向に開口している。３つのゴム栓収容部５２は、左右方向に一定の間を空けて並べて配されており、２つの分岐端子収容部５１の後端から後方に突出して設けられている。ゴム栓収容部５２の内部は、図５に示すように、上側と下側とが仕切り板５６により仕切られている。仕切り板５６の上面は、上側の分岐端子収容部５１の底面と連なっており、仕切り板５６の下面は、下側の分岐端子収容部５１の天井面と連なっている。上側の分岐端子収容部５１の内部空間と、ゴム栓収容部５２の上側の内部空間とは互いに連通している。また、下側の分岐端子収容部５１の内部空間と、ゴム栓収容部５２の下側の内部空間とは互いに連通している。図１に示すように、下側の分岐端子収容部５１の両側面には、一対の固定部５３が左右方向にそれぞれ突出して設けられている。固定部５３は方形のブロック状をなしており、固定部５３の前端面には、後述する固定ネジ８２が挿通される固定穴５４が開口して設けられている。また、固定部５３の上端面には相手側固定穴５５が開口して設けられている。
【００１７】
分岐端子２０は、図１に示すように、左右方向に細長い板状をなす導電部材２２と、導電部材２２の後端から後方に突出する３つの電線接続部２１とを備えている。３つの電線接続部２１は、一定の間隔を空けて並列に配されており、オープンバレル状をなしている。分岐端子２０の３つの電線接続部２１には、それぞれの電線２４の芯線が圧着により接続されている。図４、図５に示すように、２つの分岐端子２０は上下の分岐端子収容部５１にそれぞれ収容されている。上側の分岐端子２０の３つの電線接続部２１に接続されている３つの電線２４は、３つのゴム栓収容部５２の上側の内部空間をそれぞれ通過し、ゴム栓収容部５２から後方に延びている。下側の分岐端子２０の３つの電線接続部２１に接続されている電線２４は、３つのゴム栓収容部５２の下側の内部空間をそれぞれ通過し、ゴム栓収容部５２から後方に延びている。このように、分岐端子２０の３つの電線接続部２１が、同一方向を向き並列に配置されているため、従来のように複数の電線接続部が異なる方向を向いている構成と比べて、分岐コネクタ１０の体格を小さくすることができる。
【００１８】
分岐端子２０には、図１に示すように、保持部材３０が装着されている。保持部材３０は、３つの個別収容部３１と、３つの個別収容部３１を連結する連結部３６とを備えている。
【００１９】
個別収容部３１は、バレル収容部３２と、電線通過部３３とから構成されている。バレル収容部３２と電線通過部３３は前後方向に連なっている。バレル収容部３２の内径と電線通過部３３の内径は等しくなっており、バレル収容部３２の内部空間と電線通過部３３の内部空間は互いに連通している。バレル収容部３２の外径は、電線通過部３３の外径よりも小さくなっており、バレル収容部３２と電線通過部３３とは段差部３８を介して連なっている。３つの個別収容部３１は、左右方向に一定の間隔を空けて、並列に配されており、３つの個別収容部３１には、図５に示すように、分岐端子２０の３つの電線接続部２１がそれぞれ収容されている。
【００２０】
連結部３６は、図１に示すように、２つの前壁３７と、４つの側壁３９とを備えている。２つの前壁３７は、それぞれ板状をなしており、３つのバレル収容部３２の側部の前端部間をそれぞれ連結している。４つの側壁３９は、板状をなしており、２つの前壁３７の側端からそれぞれ後方に延びて設けられている。４つの側壁３９は、それぞれバレル収容部３２の側部と連なっている。前壁３７の両側端から前方に上側保持片３５が突出して設けられている。また、前壁３７の下端から前方に下側保持板３４が突出して設けられている。分岐端子２０の導電部材２２の後端は、前壁３７に当接している。また、図５に示すように、導電部材２２の下面は、下側保持板３４に当接している。導電部材２２の上面が上側保持片３５に当接することにより、導電部材２２の上方への変位が阻止されている。図１、図５に示すように、それぞれの電線２４には、円筒状のゴム栓２３がそれぞれ挿通されており、ゴム栓２３は電線通過部３３の後端と当接している。ゴム栓２３は、ゴム栓収容部５２の内面と当接しており、後方からの水の浸入を防いでいる。
【００２１】
３つのゴム栓収容部５２には、図５に示すように、バックリテーナ９０が後方からそれぞれ装着されている。バックリテーナ９０には、上下に２つの電線挿通孔９１が開口して設けられている。上下の電線挿通孔９１には、上側の分岐端子２０の電線接続部２１に接続された電線２４と、下側の分岐端子２０の電線接続部２１に接続された電線２４とがそれぞれ挿通されている。ゴム栓２３はバックリテーナ９０に当接しており、ゴム栓２３の後方抜けが防止されている。
【００２２】
フロントリテーナ６０は、正面視上、左右方向に長い長円形状をなすフロントリテーナ本体部６１と、３つの突起部６２と、後方突出部６３とを備えている。３つの突起部６２は、フロントリテーナ本体部６１から前方に突出して設けられており、左右方向に並列に配されている。後方突出部６３は、フロントリテーナ本体部６１から後方に突出して設けられている。後方突出部６３は、両端突出部６４と、中央突出部６５とから構成されている。両端突出部６４は、フロントリテーナ本体部６１の左右両端縁周辺から後方に突出して設けられている。また、中央突出部６５は、フロントリテーナ本体部６１の上端及び下端の中央から、後方に突出して設けられている。フロントリテーナ６０は分岐端子収容部５１に前方から装着されている。フロントリテーナ本体部６１の後面は導電部材２２の前端に前方から当接しており、これにより分岐端子２０が前方へ抜けることが防止されている。保持部材３０の３つの個別収容部３１のうち、両端の２つの個別収容部３１は、両端突出部６４の内部に収容されている。また中央の個別収容部３１は上下の中央突出部６５の間に収められている。また、両端突出部６４の後端及び中央突出部６５の後端は、段差部３８に前方から当接している。
【００２３】
シール部材７０は、図１に示すように、正面視上、左右方向に長い長円形状をなしており、３つの挿通孔７１が開口して設けられている。２つのシール部材７０は、上下の分岐端子収容部５１に前方からそれぞれ装着されている。シール部材７０の後面は、フロントリテーナ本体部６１の前面と当接している。このように、分岐コネクタ１０では、分岐端子収容部５１の数だけシール部材７０を設ければ良い。一方、従来の分岐コネクタでは、分岐の数だけハウジングが設けられており、各々のハウジングごとにシール部材を設ける必要があった。従って、分岐コネクタ１０では、仮に分岐の数を３つ以上に増やしてもシール部材７０の数は一定となるため、従来と比べて部品点数の削減をすることができる。
【００２４】
シール部材７０の３つの挿通孔７１に、フロントリテーナ６０の３つの突起部６２がそれぞれ挿通されている。例えば、従来のようにフロントリテーナに３つの突起部が設けられていない構成の場合、シール部材が内側に寄る変形をすると、シール部材の両側端のリップが弱くなり、シール機能が低下することとなる。しかし、シール部材７０では、シール部材７０が内側に寄る変形をしようとしても、挿通孔７１に挿通された突起部６２が、シール部材７０の変形を阻止するため、シール部材７０のシール機能の低下を防ぐことができる。
【００２５】
固定板８０は、図１に示すように、板状をなしており、分岐端子収容部５１の前方から取り付けられている。固定板８０には、２つのネジ挿通孔８１が開口して設けられている。２つの固定ネジ８２により、固定板８０はハウジング５０に固定されている。シール部材７０はフロントリテーナ６０と固定板８０との間に収容され、シール部材７０は、分岐端子収容部５１内に保持されている。
【００２６】
次に、本実施形態の作用について説明する。
３つのゴム栓収容部５２から出ている６本の電線２４のうち、右側のゴム栓収容部５２から出ている２本の電線２４を入力側とし、真ん中のゴム栓収容部５２から出ている２本の電線２４、及び左側のゴム栓収容部５２から出ている２本の電線２４を、入力側から分岐させた出力側とする。
【００２７】
右側のゴム栓収容部５２から出ている２本の電線２４のうち、上側の電線２４を図示しない高圧電源に接続し、下側の電線２４を図示しないアースに接続する。また、真ん中のゴム栓収容部５２から出ている２本の電線２４を、図示しないものの、電源を供給する機器のプラス側及びマイナス側にそれぞれ接続する。同様に、左のゴム栓収容部５２から出ている２本の電線２４を、図示しないものの、電源を供給する別の機器のプラス側及びマイナス側にそれぞれ接続する。
【００２８】
次に、高圧電源の電源を入れると、高圧電源から、それぞれの機器に分岐端子２０を通って電源が供給される。ここで、シール部材７０は、分岐端子収容部５１の開口部を塞いでいるため、絶縁破壊により２つの分岐端子２０間が通電されることを防ぐことができる。
【００２９】
以上のように本実施形態によれば、分岐端子２０の複数の電線接続部２１が、同一方向を向き並列に配置されているため、従来のように複数の電線接続部が異なる方向を向いている構成と比べて、分岐コネクタ１０の体格を小さくすることができる。
また、従来の分岐コネクタの場合、分岐の数だけハウジングが設けられており、各々のハウジングごとにシール部材を設ける必要があった。しかし、上記構成では、分岐の数が増えると分岐端子２０の電線接続部２１の数が増加するものの、シール部材７０は分岐端子収容部５１にのみ設ければ良いため、シール部材７０の数は分岐の数に依らず一定となる。従って、従来と比べて部品点数の削減をすることができる。
また、シール部材７０は、分岐端子収容部５１の開口部を塞いでいるため、絶縁破壊により異なる分岐端子２０間が通電されることを防ぐことができる。
【００３０】
また、フロントリテーナ６０により分岐端子２０が前方に抜けることが防止されるとともに、フロントリテーナ６０と固定板８０との間にシール部材７０を収容することで、シール部材７０を分岐端子収容部５１内に保持することができる。
【００３１】
また、シール部材７０の挿通孔７１に挿通された突起部６２が、シール部材７０の自由な変形を阻止し、シール部材７０のシール機能の低下を防ぐことができる。
【００３２】
＜他の実施形態＞
本明細書によって開示される技術は上記記述及び図面によって説明した実施形態に限定されるものではなく、例えば次のような種々の態様も含まれる。
（１）本実施形態では電線接続部２１の数は３つとしたが、電線接続部２１の数は２つでも良いし、又は４つ以上としても良い。
（２）本実施形態では、電線２４は電線接続部２１に圧着により接続されていたが、電線は圧着以外の方法で接続しても良い。例えば、電線を溶接により接続しても良いし、また、電線接続部に雄端子を設定し、電線に雌端子を設定することで、電線を電線接続部に接続しても良い。
（３）本実施形態では、フロントリテーナ６０に設けられた突起部６２に、シール部材７０の挿通孔７１を挿通する構成としたが、突起部及び挿通孔の数は、１つ若しくは２つとしても良いし、又は３つ以上としても良い。また、突起部及び挿通孔を設けない構成としても良い。
【符号の説明】
【００３３】
１０…分岐コネクタ
２０…分岐端子
２１…電線接続部
２２…導電部材
５１…分岐端子収容部
６０…フロントリテーナ
６２…突起部
７０…シール部材
７１…挿通孔
８０…固定板
【図１】
2019016449.tif 000003
【図２】
2019016449.tif 000004
【図３】
2019016449.tif 000005
【図４】
2019016449.tif 000006
【図５】
2019016449.tif 000007